(57)【特許請求の範囲】
【請求項１】
ミリ波帯の電磁波を単一モードで伝搬する導波管が形成する導波路の内部に固定され、入射する電磁波の一部を透過させ、一部を反射させるミリ波帯用電波ハーフミラーであって、
前記導波路を塞ぐ外形を有する金属板に電磁波透過用のスリットが設けられたハーフミラー本体（２５）と、
所定の厚さと誘電率をもち、前記導波路を塞ぐ外形を有し、前記ハーフミラー本体の一面側に設けられて前記厚さと誘電率とで決まる周波数で共振する誘電体共振器を形成し、ミリ波帯の所望周波数範囲における前記ハーフミラー本体の透過率特性の傾きと逆の傾きで傾斜度合いがほぼ等しい透過率特性を有する誘電体板（３０）とを備えたことを特徴とするミリ波帯用電波ハーフミラー。
【請求項２】
前記ハーフミラー本体が、前記導波管の長辺方向に沿ったスリット（２６）により、前記所望周波数範囲において、周波数が高くなる程透過率が低下する傾きの透過率特性が与えられ、
前記誘電体板は、前記所望周波数範囲において、周波数が高くなる程透過率が上昇する傾きで、且つ前記ハーフミラー本体の透過率の傾斜度合いがほぼ等しい透過率特性が与えられていることを特徴とする請求項１記載のミリ波帯用電波ハーフミラー。
【請求項３】
ミリ波帯の電磁波を単一モードで伝搬する導波管が形成する導波路の内部に固定したミリ波帯用電波ハーフミラーの透過率平坦化方法であって、
前記導波路を塞ぐ外形を有する金属板に電磁波透過用のスリットが設けられたハーフミラー本体（２５）の一面側に、所定の厚さと誘電率をもち、前記導波路を塞ぐ外形を有し、前記厚さと誘電率とで決まる周波数で共振する誘電体共振器を形成する誘電体板（３０）を配置し、
ミリ波帯の所望周波数範囲における前記ハーフミラー本体の透過率特性と前記誘電体板の透過率特性の傾きが逆となり、且つ、傾斜度合いがほぼ等しくなるように、前記誘電体板の厚さと誘電率を選ぶことにより、全体の透過率特性を平坦化したことを特徴とするミリ波帯用電波ハーフミラーの透過率平坦化方法。
【発明の詳細な説明】
【技術分野】
【０００１】
本発明は、ミリ波帯用の導波管内に固定される電波ハーフミラーにおいて、導波管によって形成される導波路を伝搬する電磁波に対する透過率の周波数特性を平坦化するための技術に関する。
【背景技術】
【０００２】
近年、ユビキタスネットワーク社会を迎え、電波利用ニーズが高まる中、家庭内のワイヤレスブロードバンド化を実現するＷＰＡＮ（ワイヤレスパーソナルエリアネットワーク）や安全・安心な運転をサポートするミリ波レーダー等のミリ波帯無線システムが利用され始めている。また、１００ＧＨｚ超無線システム実現への取組も積極的に行われてきている。
【０００３】
その一方で、６０〜７０ＧＨｚ帯の無線システムの２次高調波評価や１００ＧＨｚ超の周波数帯における無線信号の評価については、周波数が高くなるにつれ測定器の雑音レベル及びミキサの変換損失が増加するとともに周波数精度が低下するため、１００ＧＨｚを超える無線信号の高感度、高精度測定技術が確立されていない状況となっている。しかも、これまでの測定技術では局部発振の高調波を測定結果から分離することができず、不要発射等の厳密な測定が困難となっている。
【０００４】
これらの技術課題を克服し、１００ＧＨｚ超帯域無線信号の高感度・高精度測定を実現するためには、イメージ応答及び高次高調波応答を抑制するためのミリ波帯の狭帯域なフィルタをはじめ、種々の回路技術の開発が要求されている。
【０００５】
例えば、ミリ波帯で周波数可変型として用いられるフィルタとしては、（ａ）ＹＩＧ共振器を用いたもの、（ｂ）バラクタダイオードを共振器に付加したもの、（ｃ）ファブリペロー共振器が知られている。
【０００６】
（ａ）のＹＩＧ共振器を用いたものでは現状で８０ＧＨｚ程度まで使用できるものが知られ、（ｂ）のバラクタダイオードを共振器に付加したものでは４０ＧＨｚ程度まで使用できるものが知られているが、１００ＧＨｚを超える周波数では製造が困難である。
【０００７】
これに対し、（ｃ）のファブリペロー共振器は光の分野でよく用いられており、これをミリ波に用いる技術が非特許文献１に開示されている。この非特許文献１には、ミリ波を反射させる一対の球面反射鏡を、その曲率半径に等しい間隔で対向させて高いＱを実現した共焦点型のファブリペロー共振器が示されている。
【先行技術文献】
【非特許文献】
【０００８】
【非特許文献１】手代木  扶、米山  務  著「新ミリ波技術」オーム社，１９９３年，ｐ７１
【発明の概要】
【発明が解決しようとする課題】
【０００９】
しかしながら、上記共焦点型のファブリペロー共振器では、通過帯域をチューニングするために鏡面間の距離を動かした場合、原理的に焦点がずれるためＱの大幅な低下が予想される。したがって周波数毎に曲率の違う反射鏡対を選択的に用いなければならない。
【００１０】
一方、光の分野でよく用いられるファブリペロー共振器としては平面型ハーフミラーを対向配置した構造のものがあり、この構造であれば、原理的に鏡面間の距離を変化させてもＱの低下は生じないが、この平面型ファブリペロー共振器を利用したフィルタをミリ波帯で実現するためには、さらに解決すべき次のような課題があった。
【００１１】
（Ａ）ハーフミラーに平面波を平行に入射する必要がある。フィルタへの入力が導波管の場合、その径をホーンアンテナのように大きくし平面波を実現することが考えられるがサイズが大きくなる。その場合でも完全平面波の実現は困難であり特性が劣化する。
（Ｂ）ハーフミラーは平面波の一定量を平面波のままで透過させる機能をもつ必要がある。このためハーフミラーの構造が制限され、設計の自由度が低い。
（Ｃ）開放型であるため、空間に放射することによる損失が大きい。
【００１２】
上記課題を解決するための技術として、単一モード（ＴＥ１０モード）でミリ波帯の電磁波を伝搬する導波管からなる導波路内に一対の電波ハーフミラーを対向配置させて電波ハーフミラー間に共振器を形成し、波面変換が不要で、空間放射による損失が無いフィルタを実現することが考えられる。
【００１３】
ところが、上記フィルタに用いる電波ハーフミラーの構造は、導波管の開口を塞ぐ大きさの金属板に電磁波透過用のスリットを設けたものであり、そのスリットによって透過率に周波数特性が現れ、その周波数特性が電波ハーフミラー全体の透過率の平坦度を劣化させ、上記フィルタに用いた場合には、周波数毎の損失や透過帯域にバラツキが発生する。
【００１４】
本発明は、上記課題を解決し、透過率の周波数特性を平坦化できるミリ波帯用電波ハーフミラーおよびその透過率平坦化方法を提供することを目的としている。
【課題を解決するための手段】
【００１５】
前記目的を達成するために、本発明の請求項１のミリ波帯用電波ハーフミラーは、
ミリ波帯の電磁波を単一モードで伝搬する導波管が形成する導波路の内部に固定され、入射する電磁波の一部を透過させ、一部を反射させるミリ波帯用電波ハーフミラーであって、
前記導波路を塞ぐ外形を有する金属板に電磁波透過用のスリットが設けられたハーフミラー本体（２５）と、
所定の厚さと誘電率をもち、前記導波路を塞ぐ外形を有し、前記ハーフミラー本体の一面側に設けられて前記厚さと誘電率とで決まる周波数で共振する誘電体共振器を形成し、ミリ波帯の所望周波数範囲における前記ハーフミラー本体の透過率特性の傾きと逆の傾きで傾斜度合いがほぼ等しい透過率特性を有する誘電体板（３０）とを備えたことを特徴とする。
【００１６】
また、本発明の請求項２のミリ波帯用電波ハーフミラーは、請求項１記載のミリ波帯用電波ハーフミラーにおいて、
前記ハーフミラー本体が、前記導波管の長辺方向に沿ったスリット（２６）により、前記所望周波数範囲において、周波数が高くなる程透過率が低下する傾きの透過率特性が与えられ、
前記誘電体板は、前記所望周波数範囲において、周波数が高くなる程透過率が上昇する傾きで、且つ前記ハーフミラー本体の透過率の傾斜度合いがほぼ等しい透過率特性が与えられていることを特徴とする。
【００１７】
また、本発明の請求項３のミリ波帯用電波ハーフミラーの透過率平坦化方法は、
ミリ波帯の電磁波を単一モードで伝搬する導波管が形成する導波路の内部に固定したミリ波帯用電波ハーフミラーの透過率平坦化方法であって、
前記導波路を塞ぐ外形を有する金属板に電磁波透過用のスリットが設けられたハーフミラー本体（２５）の一面側に、所定の厚さと誘電率をもち、前記導波路を塞ぐ外形を有し、前記厚さと誘電率とで決まる周波数で共振する誘電体共振器を形成する誘電体板（３０）を配置し、
ミリ波帯の所望周波数範囲における前記ハーフミラー本体の透過率特性と前記誘電体板の透過率特性の傾きが逆となり、且つ、傾斜度合いがほぼ等しくなるように、前記誘電体板の厚さと誘電率を選ぶことにより、全体の透過率特性を平坦化したことを特徴とする。
【発明の効果】
【００１８】
このように、本発明では、ハーフミラー本体の一面側に誘電体板を配置して誘電体共振器を形成し、ハーフミラー本体の透過率特性と誘電体板の透過率特性の傾きが逆となり、且つ、傾斜度合いがほぼ等しくなるようにしているから、ミリ波帯用電波ハーフミラー全体としての透過率特性がミリ波帯の所望周波数範囲で平坦化され、ミリ波帯の広い周波数範囲において、一様な透過率特性が得られ、フィルタを含めた各種回路に好適となる。
【図面の簡単な説明】
【００１９】
【図１】本発明の実施形態の基本構成図
【図２】ハーフミラー本体のみを導波路に配置した構造図
【図３】図２の構造の透過率特性図
【図４】誘電体板のみを導波路に配置した構造図
【図５】図４の構造の透過率特性図
【図６】誘電体板がシリコンの場合の総合透過率特性図
【図７】誘電体板がガラスの場合の総合透過率特性図
【図８】誘電体板がＦＲ−４の場合の総合透過率特性図
【図９】誘電体板がＲＯ４００３の場合の総合透過率特性図
【図１０】誘電体板がテフロン（登録商標）の場合の総合透過率特性図
【図１１】本発明の電波ハーフミラーをフィルタに用いた例を示す図
【発明を実施するための形態】
【００２０】
以下、図面に基づいて本発明の実施の形態を説明する。
図１は本発明を適用したミリ波帯用電波ハーフミラー（以下、電波ハーフミラーと記す）２０の構造を示し、図１の（ａ）は側面図、図１の（ｂ）はＡＡ線断面図を示している。
【００２１】
この電波ハーフミラー２０は、ミリ波帯（例えばＦバンド）で単一モード（ＴＥ１０モード）の電磁波を伝搬させる内径（ａ×ｂ＝２．０３２ｍｍ×１．０１６ｍｍ）の矩形の導波管１０に形成される導波路１１を塞ぐように固定されている。
【００２２】
この電波ハーフミラー２０は、ハーフミラー本体２５と誘電体板３０とによって構成されている。ハーフミラー本体２５は、所定厚（例えば１０μｍ）で導波管１０の内径と等しい外形で導波管１０に内接する矩形の金属板に、電磁波透過用のスリット２６が設けられた構造を有している。ここで、スリット２６としては、例えば図１の（ｂ）に示しているように、幅１０μｍで導波管１０の開口長辺に沿ってハーフミラー本体２５の中央を横切るように形成されている。このハーフミラー本体２５は、実際には誘電体板３０の表面に予め厚さ１０μｍで設けられた金属層に対するエッチング処理（あるいは金属蒸着）によって形成されていて、誘電体板３０の表面に支持されている。
【００２３】
誘電体板３０は、所定の厚さｔ、誘電率（比誘電率）εｒをもち、ハーフミラー本体２５と同一外形を有し、その一面側に密着するように配置されている。
【００２４】
このように導波路１１の内部に誘電体板３０を配置させると、誘電体板３０の両端面に誘電率不連続点が生じ、それによって電波の反射が起こり、誘電体板３０の端面間の電気長を半波長とする周波数で共振現象が発生する（誘電体共振器）。この共振周波数は誘電体板３０の厚さｔと誘電率εｒによって決まり、その共振特性と、ハーフミラー本体２５の透過特性とが合わさって全体の透過率特性となるから、両特性をうまく組合せることで全体として平坦な透過率特性を得ることができる。
【００２５】
次に、この構造の電波ハーフミラー２０の特性に関するシミュレーション結果について説明する。始めに、図２のようにハーフミラー本体２５のみを導波路１１に配置した構造に対する透過率特性を図３に示す。この透過率特性は、１１０ＧＨｚ〜１４０ＧＨｚの範囲で、ほぼ一定の傾きで周波数が高くなる程低下している。これは、導波管の長辺方向に延びたスリット２６が、等価的にコンデンサ接地回路となって、高域成分を低下させている（ローパス特性）ことによるものである。したがってハーフミラー本体２５のみでは所望周波数範囲（１１０ＧＨｚ〜１４０ＧＨｚ）で平坦な透過率特性は望めない。
【００２６】
次に、図４のように誘電体板３０のみを導波路１１に配置した構造に対する透過率特性を図５に示す。ここで、誘電体板３０の材質（誘電率）としては、シリコン（εｒ＝１１．７）、ガラス（εｒ＝６．７）、ガラスエポキシＦＲ−４（εｒ＝４．５）、ＲＯ４００３（εｒ＝３．４）、テフロン（登録商標）（εｒ＝２．３）の５種類を用い、それぞれの厚さｔは、共振周波数が２００ＧＨｚとなるように選んでいる。
【００２７】
これらの各誘電体の透過率特性のうち、前記した所望周波数範囲１１０ＧＨｚ〜１４０ＧＨｚにおける特性は、周波数が高くなる程上昇する傾きをもっている。また、その傾き度合いは、若干暴れがあるもののほぼ同様の変化傾向を示し、誘電率が大きい程狭帯域になり、透過率の絶対量が低下する傾向を示す。これらの誘電体の透過率特性は、共振周波数の設定値を変えることで左右にシフトするので、材料と厚さを選ぶことで、所望周波数範囲の特性を高い自由度で設定することができ、図３の特性と合わせることで、平坦な（あるいはそれ以外の）特性を実現できる。具体的には片面に金属層を設けた誘電体板を用い、誘電体板の厚みｔを変化させることで全体の透過率特性を希望特性にすればよい。
【００２８】
図６〜図１０に、透過率特性が所望周波数範囲１１０ＧＨｚ〜１４０ＧＨｚで平坦となるよう設計した結果を示す。図６のシリコンの場合、ｔ＝１００μｍ、図７のガラスの場合、ｔ＝１４０μｍ、図８のＦＲ−４の場合、ｔ＝１９０μｍ、図９のＲＯ４００３の場合、ｔ＝２５０μｍで、透過率の周波数特性を±０．１ｄＢ程度の誤差で平坦化することができることがわかる。
【００２９】
また、図１０のテフロン（登録商標）の場合、誘電体板３０の厚さを調整しても平坦な特性が得られていない。これは、図５の特性から、誘電率が小さい場合には透過率の傾きが小さく、ハーフミラー本体２５の右下がりの特性を十分に打ち消せないためだと考えられる。このため、上記したハーフミラー本体２５のスリットを含めた構造に限定した場合、総合的に平坦な透過率特性を実現するためには、誘電率εｒ＝３．４以上の誘電体板を採用する必要がある。
【００３０】
ただし、ハーフミラー本体２５に設けるスリットの形状や本数あるいは向きにより、ハーフミラー本体２５の透過率特性（特に傾き）は変わるので、それに応じて誘電体板３０の誘電率、厚さを選択すればよく、誘電率εｒが３．４より小さくても平坦化できる可能性も否定できない。
【００３１】
なお、ここではハーフミラー本体２５に導波管の長辺方向に沿った一本のスリット２６を設けていたが、導波管の短辺方向にスリットを設けた場合、等価的にインダクタンス接地回路となり、低域の透過率の方が高域より低下する特性（ハイパス特性）となるから、誘電体板３０による共振器の共振周波数を例えば６０ＧＨｚ程度に設定して、１００ＧＨｚ〜１４０ＧＨｚの範囲で、周波数が高い程透過率が低下するようにすれば、ハーフミラー本体２５の透過率特性と逆の傾きにすることができ、前記同様に材質や厚さを選ぶことで、全体の透過率特性を平坦化できる。
【００３２】
図１１に、上記電波ハーフミラーの構造を用いたミリ波帯用フィルタ４０を示す。
このフィルタ４０は、前記したＦバンド用の同径の第１導波管４１と第２導波管４２とを、その端面が対向するようにして同軸に配置し、その端部が僅かに大きい口径の第３導波管４３の両端に内接した状態で挿入されており、これら３つの連続した導波管４１〜４３によってミリ波帯の所望周波数範囲を単一モードで伝搬させる導波路を形成している。
【００３３】
そして、前記同様にハーフミラー本体２５と誘電体板３０とが一体となった電波ハーフミラー２０Ａ、２０Ｂが、第１導波管４１、第２導波管４２の端部に取り付けられており、その第１導波管４１と第２導波管４２の少なくとも一方が、第３導波管４３に保持された状態で長さ方向にスライド移動できるようになっている。
【００３４】
したがって、二つの対向する電波ハーフミラー２０Ａ、２０Ｂの間に平面型ファブリペロー共振器が形成され、しかも、その間隔ｄが可変されるので共振周波数を変化させることができ、波面変換が不要で、外部放射による損失がなく、しかも、上記電波ハーフミラーの効果により、広い周波数範囲にわたって特性が一様なミリ波帯の周波数可変フィルタが実現できる。
【００３５】
なお、ここでは周波数可変型のフィルタの例を示したが、周波数固定であれば一本の連続した導波管の内部に電波ハーフミラー２０Ａ、２０Ｂを固定すればよく、また導波管内の電波ハーフミラーの位置を直接外部から可変できるようにしてもよい。
【符号の説明】
【００３６】
１０……導波管、１１……導波路、２０、２０Ａ、２０Ｂ……ミリ波帯用電波ハーフミラー、２５……ハーフミラー本体、２６……スリット、３０……誘電体板、４０……ミリ波帯用フィルタ、４１〜４３……導波管
【図１】
0005442702.tif 000002
【図２】
0005442702.tif 000003
【図３】
0005442702.tif 000004
【図４】
0005442702.tif 000005
【図５】
0005442702.tif 000006
【図６】
0005442702.tif 000007
【図７】
0005442702.tif 000008
【図８】
0005442702.tif 000009
【図９】
0005442702.tif 000010
【図１０】
0005442702.tif 000011
【図１１】
0005442702.tif 000012